(57)【要約】【課題】洗浄槽内の空いている空間を有効活用できる食器かごを有し、より多くの食器類を収容可能とすると同時に、より使い勝手の良い食器洗い機を提供することを目的としている。【解決手段】食器洗い機本体１７内に食器類９を収容する食器かご１９を備え、前記食器かご１９はかご本体２０と上棚２１とを備え、前記上棚２１は金属製の枠体２２とほぼすべてを樹脂製とした棚板部２３とで構成した。【選択図】図１
2005230400.tif 000002
【特許請求の範囲】
【請求項１】
食器洗い機本体内に食器類を収容する食器かごを備え、前記食器かごはかご本体と上棚とを備え、前記上棚は金属製の枠体とほぼすべてを樹脂製とした棚板部とで構成した食器洗い機。
【請求項２】
棚板部は複数に分割し、その一部は金属製枠体に軸支して回動可能とした請求項１記載の食器洗い機。
【請求項３】
棚板部の回動可能とした部位は、回動の途中において静止可能とした請求項２記載の食器洗い機。
【請求項４】
棚板部は、底部裏面に爪部を設け、枠体に嵌合させて固定可能とした請求項１〜３のいずれか１項に記載の食器洗い機。
【請求項５】
棚板部の底部には、２種類以上の長さのピンを設けた請求項１〜４のいずれか１項に記載の食器洗い機。
【発明の詳細な説明】
【技術分野】
【０００１】
本発明は、洗浄ノズルより食器類に向けて洗浄水を噴射して食器類を洗浄する食器洗い機に関するものである。
【背景技術】
【０００２】
従来、この種の食器洗い機は図９に示すように構成していた。以下、その構成について説明する。図９に示すように、食器洗い機本体１は、内部に洗浄槽２を設けており、この洗浄槽２内へ給水弁３により水または湯を供給するようにしている。洗浄槽２の底部に排水孔４を設け、この排水孔４の他側部に連通したポンプ室にモータ５によって駆動される洗浄ポンプ６を取り付け、この洗浄ポンプ６により洗浄水を洗浄槽２の内部に循環するよう構成している。すなわち、この循環は、洗浄水が排水孔４から洗浄ポンプ６に吸いこまれ、洗浄ポンプ６より洗浄槽２の内底部に設けた洗浄ノズル７に供給され、この洗浄ノズル７から噴射され、食器を洗浄した後、再び排水孔４に戻るという経路で行われる。
【０００３】
洗浄ノズル７と洗浄槽２の底部との間には、洗浄水加熱用のヒータ８を装備している。また、洗浄ノズル７の上方には、食器類９を整然と配置でき、洗浄水を効果的に食器類９に噴射するように構成した食器かご１０を設置して効率的に洗浄を行っている。食器かご１０には複数の移動用ローラ１１を配設して、移動可能にしている。
【０００４】
また、洗浄槽２は前方に開口しており、その前面部には、枢支軸１２まわりに前方に開閉自在とした蓋１３を取り付けている。食器かご１０は移動用ローラ１１により開放した蓋１３の上部を食器洗い機本体１の前面外部へ引き出し可能になっている。排水ポンプ１４は、排水ホース１５を通して洗浄水を機外に排出するものである。また、食器かご１０には上棚１６が一体的に設けてあり、一度に洗浄可能な食器点数を増やすのに寄与している（例えば、特許文献１参照）。
【特許文献１】特開２００３−５１９号公報
【発明の開示】
【発明が解決しようとする課題】
【０００５】
日本の狭い台所において食器洗い機は、食器洗い機本体１の外形寸法を変えずに食器かご１０に収容する食器類９の数を増すためには、洗浄槽２内の空いている空間にいかに食器類９を入れつつ、増えた食器類９をいかに容易に食器かごに載置できるようにして、食器かごの使い勝手を向上させるかが課題であった。しかしながら、従来の食器洗い機では、洗浄槽２内の空間を有効に活用して食器類９を配置収容できる食器かご１０を備えたものがなく、また、特に上棚部分の重量が重く使い勝手が良くないために、十分に活用できていなかった。
【０００６】
本発明は上記従来の課題を解決するもので、洗浄槽内の空いている空間を有効活用できる食器かごを有し、より多くの食器類を収容可能とすると同時に、より使い勝手の良い食器洗い機を提供することを目的としている。
【課題を解決するための手段】
【０００７】
本発明は上記目的を達成するために、食器洗い機本体内に食器類を収容する食器かごを備え、前記食器かごはかご本体と上棚とを備え、前記上棚は金属製の枠体とほぼすべてを樹脂製とした棚板部とで構成したしたものである。これにより、上棚の重量を軽量化でき、作業者が上棚を引き出す作業性を向上できる。
【発明の効果】
【０００８】
本発明の食器洗い機は、上棚の重量を必要以上に重くすることを抑えられるので、上棚の引き出しに要する力をより軽微なものにすることができ、引き出し作業性を向上できる。また、上棚に載置する食器類が食器かごの表面に強く触れて傷が付く恐れを低減できる。
【発明を実施するための最良の形態】
【０００９】
第１の発明は、食器洗い機本体内に食器類を収容する食器かごを備え、前記食器かごはかご本体と上棚とを備え、前記上棚は金属製の枠体とほぼすべてを樹脂製とした棚板部とで構成したものであり、上棚の重量を必要最小限とし、上棚の引き出しに要する力をより軽微なものにすることができ、引き出し作業性のより良好である食器洗い機を提供することができる。
【００１０】
第２の発明は、上記第１の発明において、棚板部は複数に分割し、その一部は金属製枠体に軸支して回動可能としたものであり、上棚の下方に大皿など背の高い食器類が載置された場合に、上棚の棚板部の一部を回動させ、対応できるので、より使い勝手の良い食器洗い機を提供できる。
【００１１】
第３の発明は、上記第２の発明において、棚板部の回動可能とした部位は、回動の途中において静止可能としたものであり、使用者が上棚の下方に大皿など背の高い食器類を載置する際に、棚板部を持つ必要がないので、より容易に載置作業を行うことができる。
【００１２】
第４の発明は、上記第１から第３の発明において、棚板部は、底部裏面に爪部を設け、枠体に嵌合させて固定可能としたものであり、使用者が上棚を引き出した際に、樹脂製の棚板部が金属製の枠体に対してがたつくことがなく、また、長年にわたる高温の洗浄水による経年変化で、樹脂製の棚板部が反り上がることを防止できる。
【００１３】
第５の発明は、上記第１から第４の発明において、棚板部の底部には、２種類以上の長さのピンを設けたものであり、比較的長いピン形状は上棚に載置するコップ類の上部を保持することでコップ類の転倒を防止し、比較的短いピン形状はコップ類の下部に当たることで、コップ類の転倒を防止することができ、使用者がコップ類を載置された上棚を勢いよく引き出しても、コップ類が転倒することなく引き出し可能となり、より使い勝手の良い食器洗い機を提供できる。
【００１４】
以下、本発明の一実施の形態について、図面を参照しながら説明する。なお、従来例と同じ構成のものは同一符号を付して説明を省略する。また、この実施の形態によって本発明が限定されるものではない。
【００１５】
（実施の形態１）
図１から図３に示すように、洗浄槽１７は、前方に開口部を有し、この開口部を扉１８により開閉するとともに、内部に食器類９を収容する食器かご１９を配置している。食器かご１９はかご本体２０と上棚２１で構成されており、扉１８を開くと、開口部よりそれぞれ別々に外部へ引き出して食器類の出し入れができるように構成されている。
【００１６】
上棚２１は金属製の枠体２２の内側に樹脂製の棚板部２３を嵌め込む構成としている。金属製の枠体２２の側面には樹脂製の摺動用部材２４が取り付けてあり、洗浄槽１側面に設けた突起２５の溝部に、摺動用部材２４を嵌合させることで、上棚２１を保持してあり、上棚２１は前方に引き出し可能に構成している。
【００１７】
上記構成において動作、作用を説明する。食器かご１９に食器類９を配置して洗浄槽１７内に収容し、運転を開始すると、給水弁（図示せず）が開き、洗浄槽１７内に所定量給水された後、洗浄ポンプ６を駆動する。これにより洗浄ポンプ６で加圧された洗浄水が、洗浄ノズル７から食器かご１９内の食器類９に向けて噴射され、食器類９に付着した汚れを洗浄する。
【００１８】
このとき、使用者が食器かご１９のうち、上棚２１に食器類９を載置するためには、上棚２１を引き出す作業が必要である。上棚２１はかご本体２０とは独立しているので、上棚２１を引き出す際に必要な力は、摺動用部材２４と洗浄槽１７の突起２５との摺動抵抗で決まり、この摺動抵抗は、上棚２１と上棚２１に載置された食器類９の重量にほぼ比例して決まるものである。
【００１９】
本実施の形態における中棚２１は、棚板部２３を樹脂製としたので、金属製と比べ大幅な軽量化が可能であり、上棚２１を引き出す際に必要な力を軽減でき、より使い勝手の良い食器洗い機とすることができる。
【００２０】
また、棚板部２３を樹脂製としたので、棚板部２３に設けた転倒防止のピン２６も樹脂製とすることができ、ピン２６が金属製の場合に、食器類９に強く触れて、食器類９に傷が付く恐れがない。従来技術による食器洗い機ではこの防止のために、金属製の枠体、棚板部及び転倒防止のピンにナイロンなどの樹脂コーティングを施していたが、棚板部２３やピン２６が樹脂製であるので、樹脂コーティングをする必要がなく、製造が容易な形態にて上棚２１を構成できる。
【００２１】
以上のように、本実施の形態においては、食器洗い機本体内に食器類を収容する食器かごを備え、前記食器かごはかご本体と上棚とを備え、前記上棚は金属製の枠体とほぼすべてを樹脂製とした棚板部とで構成したので、上棚の重量を軽量化でき、作業者が上棚を引き出す作業性を向上できる。
【００２２】
（実施の形態２）
図４と図５に示すように、上棚２１の樹脂製の棚板部２３は固定部２７と可動部２８に分割している。可動部２８は、金属性の枠体２２の側面に設けた支点２９において軸支され、回動可能としている。支点２９における金属性の枠体２２と可動部２８との嵌合は強固にしてあり、支点２９における回動方向の摺動抵抗により、可動部２８は回動途中において静止可能としている。
【００２３】
使用者が食器かご本体２０に大皿のような背の高い食器類９を載置する際に、可動部２８が回動可能であるともに、回動途中で静止可能であるので、使用者が可動部２８を支えながら大皿等の食器類９を載置するといった煩わしさをともなうことのない、使い勝手の良い食器洗い機を実現できる。
【００２４】
（実施の形態３）
図６に示すように、上棚２１の樹脂製の棚板部２３の裏面には爪部３０を４ヶ所設けており、図２に示す金属製の枠体２２の条体２２ａに嵌合させることにより固定している。使用者が上棚２１を引き出した際に、樹脂製の棚板部２３が金属製の枠体２２に対して固定されていないと、棚板部２３ががたつくことにより騒音発生などの不快感の原因となるが、４ヶ所の爪部３０により固定しているので、この恐れはなくなり、また、長年にわたる高温の洗浄水による経年変化で、樹脂製の棚板部２３が反り上がることにより、食器類９の安定的な載置を妨げる恐れもなく、使い勝手の良い食器洗い機を実現できる。
【００２５】
（実施の形態４）
図７及び図８に示すように、上棚２１の樹脂製の棚板部２３の食器載置側の底部には比較的長いピン３１と比較的短いピン３２の２種類のピンを複数設けている。
【００２６】
使用者が上棚２１に比較的背の高いコップ類３３を載置する場合、比較的長いピン３１がコップ類３３の上部を支え、比較的短いピン３２がコップ類３３の下部を支えるので、使用者が上棚２１を引き出す際に、比較的背の高いコップ類３３が転倒する恐れを低減でき、かつ、載置作業が行いやすい、より使い勝手の良い食器洗い機を実現できる。
【産業上の利用可能性】
【００２７】
以上のように、本発明にかかる食器洗い機は、食器洗い機本体内に食器類を収容する食器かごを備え、前記食器かごはかご本体と上棚とを備え、前記上棚は金属製の枠体とほぼすべてを樹脂製とした棚板部とで構成したので、上棚の重量を軽量化でき、作業者が上棚を引き出す作業性を向上でき、使い勝手の良さが要望される食器洗い機等として有用である。
【図面の簡単な説明】
【００２８】
【図１】本発明の実施の形態１の食器洗い機の正面図
【図２】同食器洗い機の上棚を構成する棚部と枠体を示す斜視図
【図３】同食器洗い機の断面図
【図４】本発明の実施の形態２の食器洗い機の正面図
【図５】同食器洗い機の上棚の一部を回動させた状態を示す正面図
【図６】（ａ）同食器洗い機の上棚の裏面を示す斜視図（ｂ）同食器洗い機の上棚の爪部の部分拡大斜視図
【図７】本発明の実施の形態３の食器洗い機の上棚を示す斜視図
【図８】同食器洗い機の上棚の部分拡大斜視図
【図９】従来の食器洗い機の断面図
【符号の説明】
【００２９】
１７  洗浄槽
１９  食器かご
２０  かご本体
２１  上棚
２２  枠体
２３  棚板部
２６  ピン
２８  可動部
３０  爪部
【図１】
2005230400.tif 000003
【図２】
2005230400.tif 000004
【図３】
2005230400.tif 000005
【図４】
2005230400.tif 000006
【図５】
2005230400.tif 000007
【図６】
2005230400.tif 000008
【図７】
2005230400.tif 000009
【図８】
2005230400.tif 000010
【図９】
2005230400.tif 000011